Podtech/llm-jp-corpus-v4-ja_patent huggingface dataset:
【手続補正書】
【提出日】平成25年7月22日(2013.7.22)
【手続補正１】
【補正対象書類名】特許請求の範囲
【補正対象項目名】全文
【補正方法】変更
【補正の内容】
【特許請求の範囲】
【請求項１】
電気エネルギー貯蔵のための充電装置であって、
１つまたは複数のエネルギー貯蔵、好ましくは車輌の充電式電気エネルギー貯蔵に適合するように設計・装備された保持装置と、
前記保持装置内に適合した電気エネルギー貯蔵を制御された方式で充電するように設計・装備された充電制御装置と、
供給された空気を加湿かつ／または除湿するように設計・装備された調整装置と、
前記保持装置内の温度を制御するように設計・装備された空調装置と、
を備え、
前記空調装置および前記調整装置は、前記保持装置内の空気湿度の結露を防ぐように設計・構成されていることを特徴とする電気エネルギー貯蔵のための充電装置。
【請求項２】
前記空調装置は、空気を供給するように設計・装備された給気装置と、前記供給された空気を冷却かつ／または加熱するように設計・装備された温度制御装置と、供給された空気を加湿かつ／または除湿するように設計・装備された調整装置と、前記給気装置、前記温度制御装置、および、前記調整装置を制御するように設計・装備された制御装置と、を備えること特徴とする請求項１に記載の充電装置。
【請求項３】
さらに、測定装置によって特徴付けられ、前記測定装置は、周辺空気および／または前記空調装置内に導入される空気の温度および湿度と、前記保持装置内の室内空気および／または前記保持装置の外に向けた空気の温度および湿度と、を測定し、前記制御装置へそれぞれの測定信号を出力するように設計・装備された複数のセンサを備え、
前記制御装置は、前記測定信号の少なくとも一部に基づいて、前記保持装置内の室内空気が所定の設定温度を維持し、かつ、前記保持装置内の室内空気の露点温度が前記周辺空気の露点温度と一致するように、そこに供給される空気を調整するようにそこに供給される空気の温度を制御するように前記供給装置、温度制御装置、および前記調整装置を制御するように設計・装備されることを特徴とする請求項２に記載の充電装置。
【請求項４】
前記制御装置は、温度、湿度、量に関して前記保持装置の内部に供給される空気の設定値を決定し、前記保持装置の内部に供給される空気が決められた設定値を有するように、設計・装備され、
前記測定装置は、好ましくは、前記保持装置の内部に供給される空気の温度および湿度を測定し、それぞれの測定信号を前記制御装置へ出力することを特徴とする請求項３に記載の充電装置。
【請求項５】
前記保持装置内の様々な箇所で空気の温度および湿度を測定し、それぞれの測定信号を前記制御装置へ出力するために前記保持装置内の各所にセンサが設けられることを特徴とする請求項３または４に記載の充電装置。
【請求項６】
前記制御装置は、前記保持装置内に収容される前記電気エネルギー貯蔵のタイプに基づいて温度の最適値を自動的に判別し、前記保持装置内の室内空気の温度の設定値としての最適値を決めるように設計・装備されることを特徴とする請求項２〜５いずれか一項に記載の充電装置。
【請求項７】
前記保持装置は、特に防火に対して、好ましくは熱的に互いから離間する複数の隔室を備え、
前記測定装置の前記センサは、前記隔室それぞれ内の少なくとも１箇所で空気の温度および湿度を測定し、これらが示す測定装置を前記制御装置へ出力することを特徴とする請求項３〜６のいずれか一項に記載の充電装置。
【請求項８】
前記隔室それぞれは、予め特定されたタイプの前記電気エネルギー貯蔵、または同じ最適温度および／または同じ許容温度範囲が割り当てられた複数のタイプの前記電気エネルギー貯蔵に適合するように設計・装備されることを特徴とする請求項７に記載の充電装置。
【請求項９】
複数の前記隔室それぞれは、別々の給気を有し、前記制御装置および前記空調装置は、複数の前記隔室を個々に、または、お互い別々にグループで空調するように設計・装備されることを特徴とする請求項７または８に記載の充電装置。
【請求項１０】
前記保持装置内に生成された熱は、貯蔵、使用、または直接利用されることを特徴とする請求項１〜９のいずれか一項に記載の充電装置。
【請求項１１】
１つまたは複数のエネルギー貯蔵、好ましくは車輌の充電式電気エネルギー貯蔵に適合するように設計せれ、装備された保持装置と、
制御された方式で前記保持装置内に適合した電気エネルギー貯蔵を充電するように設計・装備された充電制御装置と、
前記保持装置の内部の空調するように設計・装備された空調装置と、
を備え、
前記保持装置内に生成された熱は、貯蔵、使用、または直接利用されることを特徴とする請求項１〜１０のいずれか一項に記載の充電装置。
【請求項１２】
前記保持装置内に生成された熱は、前記空調装置に供給される空気を予熱するために使用されることを特徴とする請求項１０に記載の充電装置。
【請求項１３】
充電式電気エネルギー貯蔵を備える少なくとも部分的に電気で作動する車輌に供給する供給ステーションであって、請求項１〜１２のいずれか一項に記載の充電装置を有する供給ステーション。
【請求項１４】
電気エネルギー貯蔵を充電する方法であって、
保持装置内の１つまたは複数の車輌用の前記電気エネルギー貯蔵、好ましくは、充電式車輌用電気エネルギー貯蔵に適合するステップと、
前記保持装置内の適合した前記電気エネルギー貯蔵を制御された方式で充電するステップと、
前記保持装置の内部の温度を制御するステップと、
を備え、
前記保持装置内の空気湿度の結露を防ぐことを特徴とする電気エネルギー貯蔵を充電する方法。
【請求項１５】
前記保持装置内に生成された熱は、貯蔵、使用、または直接利用されることを特徴とする請求項１４に記載の電気エネルギー貯蔵を充電する方法。
【手続補正書】
【提出日】平成25年7月18日(2013.7.18)
【手続補正１】
【補正対象書類名】特許請求の範囲
【補正対象項目名】全文
【補正方法】変更
【補正の内容】
【特許請求の範囲】
【請求項１】
映像処理システムにおいて映像を処理する方法であって、
映像信号から複数の画像を分析するステップと、
前記複数の画像のそれぞれの特徴の少なくとも１つのサイズに応答して、前記映像信号からの前記複数の画像のそれぞれの画像の視野を分類するステップと、
隣接する画像の基準の比較に基づいて、前記映像信号からの前記複数の画像からの画像系列のセットを作成するステップと、
前記画像系列のセットのそれぞれの視野を分類するステップと、
特定のタイプの視野を表している少なくとも画像系列のセットに画像処理アルゴリズムを選択的に適用するステップと、を含み、
前記画像系列のセットのそれぞれの視野を分類するステップは、前記セットにおける画像の分類の統計的な分析を含む、
ことを特徴とする方法。
【請求項２】
前記複数の画像のそれぞれの画像の視野を分類するステップは、試合をしているフィールドを表す画像の領域を表すマスクを作成するステップを含む、
請求項１記載の方法。
【請求項３】
前記複数の画像のそれぞれの画像の視野を分類するステップは、前記マスクの境界におけるプレーヤのようなオブジェクトの領域を識別して計算するステップを含む、
請求項２記載の方法。
【請求項４】
前記複数の画像のそれぞれの画像の視野を分類するステップは、前記少なくとも１つのオブジェクトの最大の計算された領域又は中間の計算された領域をある閾値と比較するステップを含む、
請求項３記載の方法。
【請求項５】
前記複数の画像のそれぞれの画像の視野を分類するステップは、前記マスクの計算された領域を少なくとも１つの閾値と比較するステップを含む、
請求項２記載の方法。
【請求項６】
前記複数の画像のそれぞれの画像の視野を分類するステップは、前記画像が遠い視野のショットを表すか、又は遠い視野のショットを表わさないかを示すデータを前記画像と関連付けするステップを含む、
請求項１記載の方法。
【請求項７】
前記映像信号からの前記複数の画像のそれぞれはフレームである、
請求項１記載の方法。
【請求項８】
前記サイズは、長さ、幅又は領域である、
請求項１記載の方法。
【請求項９】
前記基準は、カラーヒストグラムデータを含む、
請求項１記載の方法。
【請求項１０】
前記統計的な分析は、前記セットにおける前記映像信号からの半分の画像を超える画像に関連する分類を識別するステップを含む、
請求項１記載の方法。
【請求項１１】
映像処理システムにおいて映像を処理する装置であって、
映像信号から複数の画像を分析する手段と、
前記複数の画像のそれぞれの特徴の少なくとも１つのサイズに応答して、前記映像信号からの前記複数の画像のそれぞれの画像の視野を分類する手段と、
隣接する画像の基準の比較に基づいて、前記映像信号からの前記複数の画像からの画像系列のセットを作成する手段と、
前記画像系列のセットのそれぞれの視野を分類する手段と、
特定のタイプの視野を表している少なくとも画像系列のセットに画像処理アルゴリズムを選択的に適用する手段と、を備え、
前記画像系列のセットのそれぞれの視野を分類する手段は、前記セットにおける画像の分類の統計的な分析を含む、
ことを特徴とする装置。
【請求項１２】
前記複数の画像のそれぞれの画像の視野を分類する手段は、試合をしているフィールドを表す画像の領域を表すマスクを作成する、
請求項１１記載の装置。
【請求項１３】
前記複数の画像のそれぞれの画像の視野を分類する手段は、前記マスクの境界におけるプレーヤのようなオブジェクトの領域を識別して計算する、
請求項１２記載の装置。
【請求項１４】
前記複数の画像のそれぞれの画像の視野を分類するステップは、前記少なくとも１つのオブジェクトの最大の計算された領域又は中間の計算された領域をある閾値と比較するステップを含む、
請求項１３記載の装置。
【請求項１５】
前記複数の画像のそれぞれの画像の視野を分類する手段は、前記マスクの計算された領域を少なくとも１つの閾値と比較する、
請求項１２記載の装置。
【手続補正書】
【提出日】平成25年7月19日(2013.7.19)
【手続補正１】
【補正対象書類名】特許請求の範囲
【補正対象項目名】全文
【補正方法】変更
【補正の内容】
【特許請求の範囲】
【請求項１】
変換を用いてピクチャにおける少なくとも１つのブロックを符号化するビデオエンコーダを有する装置であって、
前記ブロックを符号化するのに用いられる変換は、複数の変換から選択され、
前記複数の変換は、複数の適応的に更新された変換を取得するため前記ピクチャの符号化中にシーン単位で適応的に更新され、
リセット処理が、シーン変更時に前記複数の適応的に更新された変換を前記複数の変換にリセットするのに利用される装置。
【請求項２】
ビデオエンコーダにおける方法であって、
変換を用いてピクチャにおける少なくとも１つのブロックを符号化するステップを有し、
前記ブロックを符号化するのに用いられる変換は、複数の変換から選択され、
前記複数の変換は、複数の適応的に更新された変換を取得するため前記ピクチャの符号化中にシーン単位で適応的に更新され、
リセット処理が、シーン変更時に前記複数の適応的に更新された変換を前記複数の変換にリセットするのに利用される方法。
【請求項３】
前記選択された変換が対応するデコーダにないとき、前記選択された変換は前記対応するデコーダに送信される、請求項２記載の方法。
【請求項４】
逆変換を用いてピクチャにおける少なくとも１つのブロックを復号化するビデオデコーダを有する装置であって、
前記ブロックを復号化するのに用いられる逆変換は、複数の逆変換から選択され、
前記複数の逆変換は、複数の適応的に更新された変換を取得するため前記ピクチャの復号化中にシーン単位で適応的に更新され、
リセット処理が、シーン変更時に前記複数の適応的に更新された変換を前記複数の変換にリセットするのに利用される装置。
【請求項５】
ビデオデコーダにおける方法であって、
逆変換を用いてピクチャにおける少なくとも１つのブロックを復号化するステップを有し、
前記ブロックを復号化するのに用いられる逆変換は、複数の逆変換から選択され、
前記複数の逆変換は、複数の適応的に更新された変換を取得するため前記ピクチャの復号化中にシーン単位で適応的に更新され、
リセット処理が、シーン変更時に前記複数の適応的に更新された変換を前記複数の変換にリセットするのに利用される方法。
【請求項６】
前記複数の逆変換は、以前に符号化されたピクチャ又は以前に復号化されたピクチャから提供される情報に応じて適応的に更新される、請求項２又は５記載の方法。
【請求項７】
前記以前に符号化されたピクチャ又は前記以前に復号化されたピクチャから提供される情報の一部のみが、前記複数の逆変換を適応的に更新するのに利用される、請求項６記載の方法。
【請求項８】
特異値分解トレーニングが、前記複数の逆変換を適応的に更新するのに利用される、請求項６記載の方法。
【請求項９】
前記選択された逆変換が前記ビデオデコーダにないとき、前記選択された逆変換は前記ビデオデコーダによって受信される、請求項５記載の方法。
【請求項１０】
前記ピクチャは、複数のピクチャを有するビデオシーケンスにおいて構成され、
前記複数の変換と対応する複数の逆変換とは、前記ビデオエンコーダと前記ビデオデコーダとの双方において知られ、
前記複数の変換と前記複数の逆変換との少なくとも一方のサブセットが、前記複数のピクチャのそれぞれについて選択される、請求項２又は５記載の方法。
【請求項１１】
前記サブセットのインデックスは、１以上のハイレベルシンタックス要素を用いて対応するビットストリームにより送信又は受信される、請求項１０記載の方法。
【請求項１２】
前記複数の変換は、複数のトレーニングされた変換を取得するため適応的に更新され、
前記サブセットの選択は、前記複数の変換と前記複数のトレーニングされた変換とに基づく、請求項１０記載の方法。
【請求項１３】
前記複数の変換は、以前に符号化されたピクチャ又は以前に復号化されたピクチャから提供される情報に応じて適応的に更新される、請求項１０記載の方法。
【請求項１４】
符号化されたビデオ信号データを有する記憶媒体であって、
変換を用いて符号化されたピクチャにおける少なくとも１つのブロックを有し、
前記ブロックを符号化するのに用いられる変換は、複数の変換から選択され、
前記複数の変換は、複数の適応的に更新された変換を取得するため前記ピクチャの符号化中にシーン単位で適応的に更新され、
リセット処理が、シーン変更時に前記複数の適応的に更新された変換を前記複数の変換にリセットするのに利用される記憶媒体。
【手続補正書】
【提出日】平成25年3月6日(2013.3.6)
【手続補正１】
【補正対象書類名】明細書
【補正対象項目名】００３３
【補正方法】変更
【補正の内容】
【００３３】
図３ｂは、構造化された金属被覆で構成される、約０．７５の巻回数をもつ誘導性素子を図示している。金属被覆の幅ｃはおよそ５０から２００μｍの間であり、好ましくは１００μｍである。本例では、アスペクト比すなわち３／４巻回の幅と長さの比率ａ／ｂは実質的に１である。ａとｂはいずれも３００から４００μｍの間であり、好ましくは両方とも約３５０μｍである。
【手続補正書】
【提出日】平成25年5月15日(2013.5.15)
【手続補正１】
【補正対象書類名】特許請求の範囲
【補正対象項目名】全文
【補正方法】変更
【補正の内容】
【特許請求の範囲】
【請求項１】
a)入力光波を分析(dissect)するための光学波面ディセクタ(dissector)；
b)該分析された入力光波を検出するための光学装置；及び
c)該光学波面ディセクタを該光学装置に再現可能に精密に取り付けるための取り外し可能な運動学的取付台；
を備え、該取り外し可能な運動学的取付台は、該光学装置に取り付けられるベース部材及び該光学的波面ディセクタに取り付けられる係合部材を備えるとともに該ベース部材及び該係合部材の内の一方の部材上に複数のボールを備え、複数のボールが他方の部材を台座とするものであることを特徴とするシャックハルトマン波面センサ。
【請求項２】
請求項1において、各ボール台座はさらに、ドエルピン対を形成する、複数の間隔をあけて半径方向に伸びたドエルピンを備えたことを特徴とするセンサ。
【請求項３】
請求項2において、さらに、各ドエルピン対間に配置された凹んだボールポケットをさらに含むことを特徴とするセンサ。
【請求項４】
請求項3において、各ドエルピン対は、該ベース部材及び該係合部材の内の一方の部材の外側表面内に部分的に引っ込んで取り付けられており、各ボールが部分的に他方の部材内に引っ込んで取り付けられていることを特徴としたセンサ。
【請求項５】
請求項4において、さらに、該ベース部材及び該係合部材のそれぞれに配置され、該ベース部材及び該係合部材を一緒に引き付ける複数の磁石を備えたことを特徴とするセンサ。
【請求項６】
請求項5において、さらに、各ドエルピン対の周りに配置された一対の磁石を備えたことを特徴とするセンサ。
【請求項７】
請求項5において、該ベース部材上の各磁石が同じ極性を有しており、該係合部材上の各磁石が該ベース部材の極性と反対の極性を有することを特徴とするセンサ。
【請求項８】
請求項6において、該ベース部材上の少なくとも二つの磁石が反対の極性を有することを特徴するセンサ。
【請求項９】
請求項1において、該光学装置がCCD(電荷結合素子）カメラであることを特徴としたセンサ。
【請求項１０】
請求項1において、該光学波面ディセクタがさらにレンズレットアレイを備えたことを特徴とするセンサ。
【請求項１１】
請求項1において、さらに、該ベース部材及び該係合部材の一方の部材から外側に伸びる直交整列部材を備えたことを特徴とするセンサ。
【請求項１２】
請求項11において、さらに、該直交整列用部材を受け入れるようにした他方の部材において整列開口を備えたことを特徴とするセンサ。
【請求項１３】
請求項1において、さらに、該ベース部材を該光学装置と回転整列させるための較正部材を受け入れるために該ベース部材に配置された溝をさらに備えたことを特徴とするセンサ。
【請求項１４】
請求項1において、該係合部材が、さらに、該ベース部材及び該係合部材が係合した時、該ベース部材から該取付部材を取り外すように使用される工具を収容するための工具アクセス(tool access)を備えたことを特徴とするセンサ。
【請求項１５】
請求項1において、該光学波面ディセクタが、該係合部材にさらに取り付けられる光学装置支持部に取り付けられていることを特徴としたセンサ。
【請求項１６】
a)入力光波を分析するための第１の波面ディセクタ；
b)該分析された入力光波を受けるための光学装置；
c)第１の波面ディセクタと該光学装置との間に規定された第１の光学特性(characteristics)；及び
d)少なくとももう一つの波面ディセクタであって、該入力光波を分析すると共に、該少なくとももう一つの波面ディセクタと該光学装置との間の第２の光学特性を規定するための該第１の波面ディセクタと交換可能なもの；を備え、
e)各波面ディセクタは、該光学装置上の取り外し可能な運動学的取付台に取り外し可能で運動学的に取付可能なものであり、
該取り外し可能な運動学的取付台は、該光学装置に取り付けられるベース部材及び該各波面ディセクタに取り付けられる係合部材を備えるとともに該ベース部材及び該係合部材の内の一方の部材上に複数のボールを備え、複数のボールが他方の部材を台座とするものであることを特徴とするシャックハルトマン波面センサ。
【請求項１７】
請求項16において、該第１及び第２の光学特性が異なる焦点距離であることを特徴としたセンサ装置。
【請求項１８】
請求項16において、第１及び該少なくとももう一つの波面ディセクタが、それぞれ、レンズレットアレイを含み、該第１及び第２の光学特性が、各波面ディセクタと組み合わされた各レンズレットアレイの異なったレンズピッチであることを特徴としたセンサ装置。
【手続補正書】
【提出日】平成25年6月26日(2013.6.26)
【手続補正１】
【補正対象書類名】特許請求の範囲
【補正対象項目名】全文
【補正方法】変更
【補正の内容】
【特許請求の範囲】
【請求項１】
第１偏向状態の偏光照明光を随時生成する光源サブシステムと、
その偏向照明光の光路上にあり、径方向に沿い外寄りに透光部及び遮光部、内寄りに反射部及び透光部が互い違いに現れており、且つその内寄り反射部が外寄り透光部に連なる回動多部分ディスクを用い、偏向照明光から第１及び第２光ビームを交番的に生成するビーム分割サブシステムと、
第１及び第２光ビームのうち一方の光路上にあり、そのビームの偏向状態を第１偏向状態からそれと全く又はほぼ直交する第２偏向状態へと回転させる偏向回転器と、
第１光ビームと第２光ビームを結合することで結合光ビームを生成する光結合サブシステムと、
立体像データに従い結合光ビームを変調することで、結合光ビームを形成する照明光のうち第１偏向状態のものから第１変調像、第２偏向状態のものから第２変調像を生成する空間光変調器と、
第１及び第２変調像を表示面上に投射する投射サブシステムと、
を備えるディジタル立体像投射機。
【請求項２】
請求項１記載のディジタル立体像投射機であって、上記内寄り透光部を透過した偏向照明光が第１光ビーム、上記内寄り反射部で反射され上記外寄り透光部を透過した偏向照明光が第２光ビームとなるディジタル立体像投射機。
【請求項３】
請求項１記載のディジタル立体像投射機であって、コヒーレンス偽像が低減されるよう上記回動多部分ディスクの一部又は全体に亘り模様が付されたディジタル立体像投射機。
【手続補正書】
【提出日】平成25年6月27日(2013.6.27)
【手続補正１】
【補正対象書類名】特許請求の範囲
【補正対象項目名】全文
【補正方法】変更
【補正の内容】
【特許請求の範囲】
【請求項１】
所定の範囲の電力開始レベル及び共振回路パラメータを有する無線周波数識別（ＲＦＩＤ）センサ部品を使用して、環境の物理的、化学的及び生物学的特性を検知する方法であって、
前記ＲＦＩＤセンサ部品を活性化して、前記センサ部品の活性化に必要な電力レベルの範囲が、前記所定の範囲の電力開始レベルよりも狭いか否かを判定する段階と、
前記環境の物理的、化学的及び生物学的特性の少なくとも１つを検知する段階と、
前記センサの活性化に必要な電力レベルの範囲に部分的に基づいて選択された共振パラメータを使用して、検知された前記環境の特性を定量化する段階であって、前記センサ部品のガンマ線への暴露によって前記センサの活性化に必要な電力レベルの範囲の変化が起こる、段階と
を含む方法。
【請求項２】
前記ＲＦＩＤセンサの選択された共振パラメータが、前記ＲＦＩＤセンサの複素インピーダンス応答から計算されたパラメータ、前記ＲＦＩＤセンサの複素インピーダンス応答の実数部、前記ＲＦＩＤセンサの複素インピーダンス応答の虚数部を含む、請求項１記載の方法。
【請求項３】
前記ＲＦＩＤセンサの選択された共振パラメータが、前記ＲＦＩＤセンサの等価回路に関する前記ＲＦＩＤセンサの共振応答から計算されたパラメータを含む、請求項１記載の方法。
【請求項４】
前記環境の物理的、化学的及び生物学的特性を定量化する段階が、前記ＲＦＩＤセンサのメモリチップ内に記憶された係数を含む伝達関数を通して、前記検知特性を前記ＲＦＩＤセンサの選択された共振パラメータに関連付けることを含む、請求項１記載の方法。
【請求項５】
電力レベルの範囲が所定の閾値よりも狭いときは、前記選択されたパラメータが、複素インピーダンス応答から計算されたＦp、Ｚp、Ｆ1、Ｆ2パラメータの１つ以上から構成される、請求項１記載の方法。
【請求項６】
電力レベルの範囲が所定の閾値よりも狭くないときは、前記選択されたパラメータが、複素インピーダンス応答から計算されたＦ1、Ｆ2、Ｆp、Ｚpパラメータの１つ以上から構成される、請求項１記載の方法。
【請求項７】
電力レベルの範囲が所定の閾値よりも狭いときは、前記選択されたパラメータが、複素インピーダンス応答から計算されたパラメータの１群から構成され、電力レベルの範囲が所定の閾値よりも狭くないときは、前記選択されたパラメータが、複素インピーダンス応答から計算されたパラメータの別の群から構成される、請求項１記載の方法。
【請求項８】
ガンマ線照射の前後のそれぞれの信号の値からガンマ線の線量が決定される、請求項１乃至請求項７のいずれか１項記載の方法。
【請求項９】
前記検知された特性を定量化する段階が、信号オフセット、信号ドリフト、信号ノイズ及びセンサ応答の勾配の１つ以上を調整する補正スキームを適用することを含む、請求項１記載の方法。
【請求項１０】
所定の範囲の電力開始レベル及び共振回路パラメータを有するＲＦＩＤセンサ部品を使用して物理的、化学的及び生物学的特性を検知するように構成されたセンサシステムであって、
前記ＲＦＩＤセンサ部品を用いて前記特性を検知する電子センサと、
前記センサから前記特性に対応すの１つ以上の信号を読み取るインタロゲータユニットと、
前記センサ部品の活性化に必要な電力レベルの範囲が、前記所定の範囲の電力開始レベルよりも狭いか否かを識別するとともに、前記センサ部品のガンマ線への暴露によって前記センサの活性化に必要な電力レベルの範囲の変化が起こったか否かを判定し、かつ前記センサの活性化に必要な電力レベルの範囲に部分的に基づいて選択された共振パラメータを使用して、検知された特性を定量化するための比較器ユニットと
を備える、センサシステム。
【手続補正書】
【提出日】平成25年7月17日(2013.7.17)
【手続補正１】
【補正対象書類名】特許請求の範囲
【補正対象項目名】全文
【補正方法】変更
【補正の内容】
【特許請求の範囲】
【請求項１】
複数の光反射性ライザーを含む階段形状の光学構造物を含む光導波路であって、前記複数の光反射性ライザーのうちの少なくとも２つのライザーが、非平行な光反射性部分を含む、光導波路。
【請求項２】
中空である、請求項１に記載の光導波路。
【請求項３】
入射アームと、
第１の出射アームと、
第２の出射アームと、
前記入射アームを前記第１及び第２の出射アームに接続する湾曲部と、を含み、
前記湾曲部は、前記入射アームからの光を前記第１の出射アームに向けて反射するための第１の光反射体と、
前記入射アームからの光を前記第２の出射アームに向けて反射するための第２の光反射体と、を含み、前記第２の光反射体が、２つの相互に直交する方向に沿って前記第１の光反射体に対してオフセットされる、光導波路。
【請求項４】
複数の光反射性ライザーを含む階段形状の光学構造物を含み、第１のライザーは前記第１の光反射体を含み、前記第１のライザーと異なる第２のライザーは、前記第２の光反射体を含む、請求項３に記載の光導波路。
【手続補正書】
【提出日】平成25年7月18日(2013.7.18)
【手続補正１】
【補正対象書類名】特許請求の範囲
【補正対象項目名】全文
【補正方法】変更
【補正の内容】
【特許請求の範囲】
【請求項１】
シルク光反射体であって、
シルクフィブロインを含むシルクマトリクスを含んでおり、
前記シルクマトリクスは反射素子を含んでいる、
シルク光反射体。
【請求項２】
請求項１に記載のシルク光反射体であって、
前記シルクマトリクスが反射素子のアレイを含んでいる、
シルク光反射体。
【請求項３】
請求項２に記載のシルク光反射体であって、
前記反射素子のアレイは２Ｄまたは３Ｄアレイの状態である、
シルク光反射体。
【請求項４】
請求項１〜３のいずれか1項記載のシルク光反射体であって、
前記反射素子がミラーまたは再帰反射体である、
シルク光反射体。
【請求項５】
請求項１〜４のいずれか１項記載のシルク光反射体であって、
前記反射素子または前記反射素子のアレイが、フラットミラー、ダイヤモンドカット反射体、コーナーキューブジオメトリーをもつ再帰反射体、半球面ジオメトリーをもつ再帰反射体、「キャッツアイ」ジオメトリーをもつ再帰反射体、ミラー付きレンズをもつ再帰反射体、複数の直行する平面を含む再帰反射キャビティ、およびそのいずれかの組み合わせ、よりなる群から選択される形状またはジオメトリーを有する、
シルク光反射体。
【請求項６】
請求項１〜５のいずれか１項記載のシルク光反射体であって、
前記反射素子または前記反射素子のアレイがマイクロプリズムを含んでいる、
シルク光反射体。
【請求項７】
請求項１〜５のいずれか１項記載のシルク光反射体であって、
前記反射素子または前記反射素子のアレイが反射粒子を含んでいる、
シルク光反射体。
【請求項８】
請求項７に記載のシルク光反射体であって、
前記反射粒子が金属ナノ粒子である、
シルク光反射体。
【請求項９】
請求項８に記載のシルク光反射体であって、
前記金属ナノ粒子が金ナノ粒子、銀ナノ粒子、またはそれらの組み合わせである、
シルク光反射体。
【請求項１０】
請求項１〜９のいずれか１項に記載のシルク光反射体であって、
活性剤をさらに含んでいる、
シルク光反射体。
【請求項１１】
請求項１０に記載のシルク光反射体であって、
前記活性剤が、治療薬、細胞、タンパク質、ペプチド、核酸、核酸アナログ、ヌクレオチド、オリゴヌクレオチド、ペプチド核酸（ＰＮＡ）、アプタマー、抗体およびそのフラグメントもしくは部分、抗原またはエピトープ、ホルモン、ホルモンアンタゴニスト、増殖因子ならびにその断片および変異体、細胞接着メディエーター、サイトカイン、細胞毒素、酵素、小分子、薬物、染料、アミノ酸、ビタミン、抗酸化物質、抗生物質または抗菌性化合物、抗炎症剤、抗真菌剤、ウイルス、抗ウイルス剤、毒素、プロドラッグ、化学療法剤、およびこれらの組合せよりなる群から選択される、
シルク光反射体。
【請求項１２】
請求項１〜１１のいずれか１項記載のシルク光反射体であって、
前記シルクマトリクスはシルクフィルムである、
シルク光反射体。
【請求項１３】
請求項１２に記載のシルク光反射体であって、
前記シルクフィルムは２ｎｍ〜１ｍｍの厚さを有する、
シルク光反射体。
【請求項１４】
請求項１２または１３に記載のシルクフィルムの複数の層を含む、組成物。
【請求項１５】
請求項１４に記載の組成物であって、
前記複数の層の少なくとも１つの層が他のものと異なる反射素子を有する、
組成物。
【請求項１６】
請求項１４に記載の組成物であって、
前記複数の層の少なくとも１つの層が他のものとは異なる屈折率を有する、
組成物。
【請求項１７】
請求項１４に記載の組成物であって、
前記複数の層の少なくとも１つの層が他のものとは異なる厚さを有する、
組成物。
【請求項１８】
請求項１〜１７のいずれか１項に記載のシルク光反射体を含むデバイスであって、
前記デバイスは、誘電体ミラー、光学ラベル、バイオセンシングデバイス、移植可能なデバイス、イメージングデバイス、薬物デリバリーデバイス、もしくはこれらの組み合わせ、であるかまたはこれを含んでいる、
デバイス。
【請求項１９】
請求項１８に記載のデバイスであって、
インビボまたはインビトロで操作するためのものである、
デバイス。
【請求項２０】
請求項１８または１９に記載のデバイスであって、
前記反射素子または前記反射素子のアレイがバックグラウンド信号に比較して増強された反射信号を提供することを特徴とする、
デバイス。
【請求項２１】
請求項１８〜２０のいずれか１項記載のデバイスであって、
生分解性、生体吸収性またはこれらの組み合わせである、
デバイス。
【請求項２２】
請求項１〜２０のいずれか１項記載のシルク光反射体であって、
反射率を高めるために使用するためのものであり、
前記反射素子または前記反射素子のアレイが散乱媒質中に置かれ、
シルク光反射体は照射時に高められた反射率を提供し、かつ、高められた反射率は離れた位置で検出可能である、
シルク光反射体。
【請求項２３】
請求項２２に記載のシルク光反射体であって、
照射は広帯域光で行われる、
シルク光反射体。
【請求項２４】
請求項２２に記載のシルク光反射体であって、
照射は特定の波長で行われる、
シルク光反射体。
【請求項２５】
請求項２２〜２４のいずれか１項記載のシルク光反射体であって、
散乱媒質と検出源との間隔が約０〜１０ｃｍである、
シルク光反射体。
【請求項２６】
請求項２２〜２５のいずれか１項記載のシルク光反射体であって、
散乱媒質は組織または器官である、
シルク光反射体。
【手続補正書】
【提出日】平成25年7月10日(2013.7.10)
【手続補正１】
【補正対象書類名】特許請求の範囲
【補正対象項目名】全文
【補正方法】変更
【補正の内容】
【特許請求の範囲】
【請求項１】
抗癌薬による治療に対する胃癌の応答を同定若しくは予測する方法、又は、胃癌の治療に好適な抗癌薬を選択する方法であって、
（ａ）単離された癌細胞から生成される細胞抽出物中のＨＥＲ１、ＨＥＲ２、ＨＥＲ３、ｃ−Ｍｅｔ、ＩＧＦ１Ｒ、ＰＩ３Ｋ、ｐ９５ＨＥＲ２、ｃＫｉｔ、Ｓｈｃ、Ａｋｔ、ｐ７０Ｓ６Ｋ、ＶＥＧＦＲ及びＰＤＧＦＲからなる群から選択される１種以上の分析物の発現レベル及び／又は活性化レベルを決定すること；並びに
（ｂ）工程（ａ）において決定された前記１種以上の分析物の発現レベル及び／又は活性化レベルに基づき、前記胃癌の応答を同定若しくは予測すること、又は、前記好適な抗癌薬を選択すること
を含む方法。
【請求項２】
前記１種以上の分析物の発現レベル及び／又は活性化レベルが、前記１種以上の分析物について作成された標準曲線に対して較正される、請求項１に記載の方法。
【請求項３】
癌細胞が、胃癌を有する対象から抗癌薬の投与後に単離される、請求項１に記載の方法。
【請求項４】
単離された癌細胞が抗癌薬と接触される、請求項１に記載の方法。
【請求項５】
前記１種以上の分析物の発現レベル及び／又は活性化レベルを、抗癌薬の非存在下で作成された前記１種以上の分析物の参照発現及び／又は活性化プロファイルと比較することにより、前記胃癌の応答が同定若しくは予測され、又は、前記好適な抗癌薬が選択される、請求項３又は４に記載の方法。
【請求項６】
胃癌が腺癌である、又は、胃癌が、食道、小腸、リンパ節、器官、骨若しくはこれらの組合せに転移している、請求項１に記載の方法。
【請求項７】
前記１種以上の分析物が、ＨＥＲ１、ＨＥＲ２、ＨＥＲ３、ｃ−Ｍｅｔ、ＩＧＦ１Ｒ及びＰＩ３Ｋを含む、請求項１に記載の方法。
【請求項８】
癌細胞が、胃腫瘍から得られた循環腫瘍細胞又は細針吸引液（ＦＮＡ）細胞である、請求項１に記載の方法。
【請求項９】
癌細胞が、胃癌を有する対象から得られる試料から単離される、請求項１に記載の方法。
【請求項１０】
単離された癌細胞が１種以上の成長因子によりインビトロで刺激される、請求項１に記載の方法。
【請求項１１】
抗癌薬が、モノクローナル抗体、チロシンキナーゼ阻害剤、抗増殖剤、化学療法剤及びこれらの組合せからなる群から選択される、請求項１に記載の方法。
【請求項１２】
細胞抽出物中の１種以上の追加の分析物の発現レベル及び／又は活性化レベルを決定することを更に含み、
前記１種以上の追加の分析物が、
（ｉ）受容体チロシンキナーゼ、非受容体チロシンキナーゼ、チロシンキナーゼシグナリングカスケード構成因子、核ホルモン受容体、核受容体コアクチベーター、核受容体リプレッサー及びこれらの組合せからなる群から選択される１種以上のシグナル伝達分子；又は
（ｉｉ）ＨＥＲ４、ＭＥＫ、ＰＴＥＮ、ＳＧＫ３、４Ｅ−ＢＰ１、ＥＲＫ２（ＭＡＰＫ１）、ＥＲＫ１（ＭＡＰＫ３）、ＰＤＫ１、ＧＳＫ−３β、Ｒａｆ、ＳＲＣ、ＮＦｋＢ−ＩｋＢ、ｍＴＯＲ、Ｅｐｈ−ａ、Ｅｐｈ−ｂ、Ｅｐｈ−ｃ、Ｅｐｈ−ｄ、Ｆｌｔ−３、Ｔｉｅ−１、Ｔｉｅ−２、ｃＦＭＳ、Ａｂｌ、ＦＴＬ３、ＲＥＴ、ＦＧＦＲ１、ＦＧＦＲ２、ＦＧＦＲ３、ＦＧＦＲ４、ＥＲ、ＰＲ、ＮＣＯＲ、ＡＩＢ１、ＲＯＮ及びこれらの組合せからなる群から選択される１種以上の分子
を含む、請求項１に記載の方法。
【請求項１３】
工程（ａ）における前記１種以上の分析物の発現レベルの決定が、細胞抽出物中の前記１種以上の分析物の全レベルを前記１種以上の分析物に特異的な１種以上の抗体により検出することを含む、請求項１に記載の方法。
【請求項１４】
工程（ａ）における前記１種以上の分析物の活性化レベルの決定が、細胞抽出物中の前記１種以上の分析物のリン酸化レベルを前記１種以上の分析物のリン酸化形態に特異的な１種以上の抗体により検出することを含む、請求項１に記載の方法。
【請求項１５】
工程（ａ）における前記１種以上の分析物の発現レベルの決定が、
（ｉ）細胞抽出物を、前記１種以上の分析物に特異的な捕捉抗体の希釈系列とインキュベートして複数の捕捉された分析物を形成することであって、ここで捕捉抗体は、固体担体上に拘束されている；
（ｉｉ）複数の捕捉された分析物を、前記１種以上の分析物に特異的な第１及び第２の活性化状態非依存性抗体を含む検出抗体とインキュベートして複数の検出可能な捕捉された分析物を形成することであって、ここで第１の活性化状態非依存性抗体は促進成分により標識されており、第２の活性化状態非依存性抗体はシグナル増幅ペアの第１のメンバーにより標識されており、促進成分はシグナル増幅ペアの第１のメンバーにチャネリングし、これと反応する酸化剤を発生させる；
（ｉｉｉ）複数の検出可能な捕捉された分析物をシグナル増幅ペアの第２のメンバーとインキュベートして増幅されたシグナルを発生させること；並びに
（ｉｖ）シグナル増幅ペアの第１及び第２のメンバーから発生した増幅されたシグナルを検出すること
を含む、請求項１に記載の方法。
【請求項１６】
工程（ａ）における前記１種以上の分析物の活性化レベルの決定が、
（ｉ）細胞抽出物を、前記１種以上の分析物に特異的な捕捉抗体の希釈系列とインキュベートして複数の捕捉された分析物を形成することであって、ここで捕捉抗体は、固体担体上に拘束されている；
（ｉｉ）複数の捕捉された分析物を、前記１種以上の分析物に特異的な活性化状態非依存性抗体及び活性化状態依存性抗体を含む検出抗体とインキュベートして複数の検出可能な捕捉された分析物を形成することであって、ここで活性化状態非依存性抗体は促進成分により標識されており、活性化状態依存性抗体はシグナル増幅ペアの第１のメンバーにより標識されており、促進成分はシグナル増幅ペアの第１のメンバーにチャネリングし、これと反応する酸化剤を発生させる；
（ｉｉｉ）複数の検出可能な捕捉された分析物をシグナル増幅ペアの第２のメンバーとインキュベートして増幅されたシグナルを発生させること；並びに
（ｉｖ）シグナル増幅ペアの第１及び第２のメンバーから発生した増幅されたシグナルを検出すること
を含む、請求項１に記載の方法。
【手続補正書】
【提出日】平成25年6月25日(2013.6.25)
【手続補正１】
【補正対象書類名】特許請求の範囲
【補正対象項目名】全文
【補正方法】変更
【補正の内容】
【特許請求の範囲】
【請求項１】
二次元光路分布の絶対測定を行う装置であって、
複数の波長を有する光を物体に照射する光源と、
前記物体の少なくとも一部分の画像を形成する干渉計であって、前記少なくとも一部分の画像が広帯域干渉図形を含む、前記干渉計と、
前記干渉計と光通信を行い、前記広帯域干渉図形を複数の狭帯域二次元干渉図形にスペクトル的に分離するハイパースペクトル撮像装置と、
前記狭帯域干渉図形を空間的に位置合わせする位置合わせ装置と、
各狭帯域干渉図形内の対応する画素から一次元強度信号を抽出する抽出装置と、
前記物体上の各点における周波数を、前記各点に関連付けられた一次元強度信号から計算する計算装置と、
を備える装置。
【請求項２】
前記光源が、周波数変調器に作用的に接続された狭帯域光源を備える、請求項１に記載の装置。
【請求項３】
前記光源が、光周波数コム光源を含む、請求項１に記載の装置。
【請求項４】
前記ハイパースペクトル撮像装置が、エタロンをさらに備える、請求項１または請求項２に記載の装置。
【請求項５】
前記ハイパースペクトル撮像装置が、前記干渉計より下流に配置された分散素子を備える、請求項１から４のいずれか一項に記載の装置。
【請求項６】
前記ハイパースペクトル撮像装置が、前記干渉計より下流に配置された反射ボリューム・ホログラムを備え、前記反射ボリューム・ホログラムには複数のブラッグ格子が書き込まれている、請求項１から４のいずれか一項に記載の装置。
【請求項７】
前記ハイパースペクトル撮像装置に動作可能に接続されたデータ処理装置をさらに備える、請求項１から６のいずれか一項に記載の装置。
【請求項８】
前記ハイパースペクトル撮像装置が、光検出器アレイを備える、請求項１から７のいずれか一項に記載の装置。
【請求項９】
前記物体に照射するための複数の光源を備える、請求項１から８のいずれか一項に記載の装置。
【請求項１０】
前記複数の広帯域光源から発生する複数の光帯が、互いにスペクトル的に離れている、請求項９に記載の装置。
【請求項１１】
二次元光路分布の絶対測定を行う方法であって、
複数の波長を有する光を物体に照射することを、前記光を干渉計に透過させて前記物体の広帯域干渉図形を生成することによって行うステップと、
前記広帯域干渉図形をスペクトル的に分離して複数の二次元狭帯域干渉図形を形成するステップと、
前記二次元干渉図形を空間的に位置合わせするステップと、
各狭帯域干渉図形内の対応する画素から一次元強度信号を抽出するステップと、
前記物体上の各点における周波数を、前記各点に関連付けられた一次元信号から計算するステップと、
を含む方法。
【請求項１２】
広帯域光を物体に照射する前記ステップが、合成、または見かけ、の広帯域光源を生成するために、狭帯域光を高周波で変調するステップを含む、請求項１１に記載の方法。
【請求項１３】
前記二次元干渉図形を空間的に位置合わせする前記ステップが、すべての前記狭帯域干渉図形内での、前記サンプル面上の共通箇所の画素位置を識別するステップを含む、請求項１１または請求項１２に記載の方法。
【請求項１４】
前記二次元干渉図形を空間的に位置合わせする前記ステップが、前記二次元狭帯域干渉図形の三次元強度分布を形成するステップを含む、請求項１１から１３のいずれか一項に記載の方法。
【請求項１５】
前記二次元狭帯域干渉図形の三次元強度分布を形成する前記ステップが、個々の狭帯域干渉図形をそれぞれのｘ座標およびｙ座標に対して位置合わせし、前記位置合わせされた干渉図形をｋ軸方向にスタックしてサンプルのハイパースペクトル画像ボリュームを形成するステップを含み、前記ｋ軸は、各干渉図形の波数を表す、請求項１４に記載の方法。
【請求項１６】
各干渉図形内の対応する画素から一次元強度信号を抽出する前記ステップが、前記空間的に位置合わせされた干渉図形から前記ｋ軸方向の周波数を、一次元フーリエ変換によって測定するステップを含む、請求項１１から１５のいずれか一項に記載の方法。
【請求項１７】
広帯域光を物体に照射する前記ステップが、複数の光源からの広帯域光を前記物体に照射して複数の帯域の広帯域光を生成するステップを含み、各帯域は、他のどの帯域ともスペクトル的に離れている、請求項１３から１５のいずれか一項に記載の方法。
【手続補正書】
【提出日】平成25年5月2日(2013.5.2)
【手続補正１】
【補正対象書類名】特許請求の範囲
【補正対象項目名】全文
【補正方法】変更
【補正の内容】
【特許請求の範囲】
【請求項１】
レーザスキャナ（１０）を用いて物体（Ｏ）を光学的に走査および測定する方法であって、標的周波数（ω0）で変調された発光ビーム（１８）が、発光器（１７）を用いて放射され、前記レーザスキャナ（１０）の周辺で物体（Ｏ）から何らかの形で反射され、または他の形で散乱された受光ビーム（２０）が、受光器（２１）を用いて多数のサンプルとして測定クロック（ｆM）とともに受け取られ、それぞれの場合、少なくとも前記物体（Ｏ）からの距離（ｄ）が、制御および評価デバイス（２２）を用いて、複数の測定点（Ｘ）に対する前記多数のサンプルの位相角（Φ）から判定され、前記距離（ｄ）を判定するために、時間的に隣接するサンプルの距離差（Δｄ）によって生じる位相シフト（ΔΦ）を補正して前記距離（ｄ）を補正するという手順によって行われることを特徴とする方法。
【請求項２】
請求項１に記載の方法であって、前記物体（Ｏ）の仮想速度（ｖ）を判定して前記位相シフト（ΔΦ）を補正することを特徴とする方法。
【請求項３】
請求項２に記載の方法であって、前記仮想速度（ｖ）が、２つの時間的に隣接するサンプルの距離（ｄ）間に存在する距離差（Δｄ）および前記測定クロック（ｆM）から判定されることを特徴とする方法。
【請求項４】
請求項２または３に記載の方法であって、近似された位相シフト（ΔΦ）が前記仮想速度（ｖ）から判定されることを特徴とする方法。
【請求項５】
請求項４に記載の方法であって、前記サンプルの補正された距離（ｄ）が、前記近似された位相シフト（ΔΦ）から判定されることを特徴とする方法。
【請求項６】
請求項１〜５のいずれか１項に記載の方法であって、前記位相シフト（ΔΦ）の前記補正が繰り返し行われることを特徴とする方法。
【請求項７】
請求項１〜６のいずれか１項に記載の方法であって、距離（ｄ）が補正された前記多数のサンプルをデータ低減によって組み合わせて、前記複数の測定点（Ｘ）を形成することを特徴とする方法。
【請求項８】
請求項１〜７のいずれか１項に記載の方法を実施することを特徴とするレーザスキャナ（１０）。
【請求項９】
請求項８に記載のレーザスキャナであって、前記制御および評価デバイス（２２）が前記距離（ｄ）を補正することを特徴とするレーザスキャナ。
【手続補正書】
【提出日】平成25年6月11日(2013.6.11)
【手続補正１】
【補正対象書類名】特許請求の範囲
【補正対象項目名】全文
【補正方法】変更
【補正の内容】
【特許請求の範囲】
【請求項１】
ニット生地であって、
第１のヤーンから編まれた外側層と、
第２のヤーンから編まれた内側層と、
外側層および内側層の間に挟まれた中間層とを備え、前記中間層は第３のヤーンから編まれ、前記第３のヤーンは、前記外側層および前記中間層を前記中間層の対向する側に付着させるために、前記第１のヤーンおよび前記第２のヤーンのうち少なくともいくつかの周りに輪になるように編まれ、
前記中間層は、外側層および内側層がなければ解ける引上げ編で編まれ、
前記外側層および前記内側層は、前記中間層から分離されたときに解けない自立的な表編みで編まれる、ニット生地。
【請求項２】
前記外側層、前記内側層および前記中間層の各々は、異なる表編みを使用して編まれる、請求項１に記載のニット生地。
【請求項３】
前記第１のヤーン、第２のヤーンおよび第３のヤーンの各々は、異なる種類のヤーンである、請求項１に記載のニット生地。
【請求項４】
前記ニット生地は、長手方向に延在する対向するエッジを有し、前記エッジは、互いに重なりあう関係に巻かれて保護スリーブを形成する、請求項１に記載のニット生地。
【請求項５】
前記ニット生地は、熱保護スリーブに形成される、請求項１に記載のニット生地。
【請求項６】
前記外側層、前記内側層および前記中間層の各々は、異なる表編みを使用して編まれる、請求項５に記載の熱保護手袋。
【請求項７】
前記第１のヤーン、第２のヤーンおよび第３のヤーンの各々は、異なる種類のヤーンである、請求項５に記載の熱保護手袋。
【請求項８】
前記第１のヤーンは耐高温性のヤーンであり、前記第２のヤーンは柔らかな感触のヤーンである、請求項７に記載の熱保護手袋。
【請求項９】
前記第１のヤーンは、玄武岩、シリカ、セラミック、ステンレススチール、および両成分が耐高温性の材料である二成分ヤーンからなるグループから選択される、請求項８に記載の熱保護手袋。
【請求項１０】
三層ニット生地を構成する方法であって、
第１のヤーンから外側層を編むステップと、
第１のヤーンとは別個の第２のヤーンから編まれる内側層を編むステップと、
外側層および内側層の間に挟まれた中間層を、第１のヤーンおよび第２のヤーンとは別個の第３のヤーンから編むステップと、
外側層、内側層および中間層を、単一の二重の平台式編み機上で同時にかつ互いに編むステップと、を含む、方法。
【請求項１１】
引上げ編を使用して、第１のヤーンおよび第２のヤーンの周りに中間層を編むステップをさらに含む請求項１０に記載の方法。
【請求項１２】
異なる表編みを有する外側層、内側層および中間層の各々を編むステップをさらに含む、請求項１０に記載の方法。
【請求項１３】
生地を筒状保護スリーブに形成するステップをさらに含む、請求項１０に記載の方法。    
【請求項１４】
生地を手袋に編むステップをさらに含む、請求項１０に記載の方法。
【手続補正書】
【提出日】平成25年6月10日(2013.6.10)
【手続補正１】
【補正対象書類名】特許請求の範囲
【補正対象項目名】全文
【補正方法】変更
【補正の内容】
【特許請求の範囲】
【請求項１】
式ＣＨ2＝ＣＲ’ＣＯＯ−（ＣＨ2）n−Ｒ−（ＣＨ2）n−ＯＯＣＣＲ’＝ＣＨ2（式中、Ｒ’は、Ｈまたは−ＣＨ3、ｎは、１〜４、Ｒは、１０００〜２５，０００ダルトンの数平均分子量を有し、ｉ）フッ化ビニリデンおよびパーフルオロ（メチルビニルエーテル）の共重合単位を含むオリゴマー、ｉｉ）フッ化ビニリデンおよびヘキサフルオロプロピレンの共重合単位を含むオリゴマー、ｉｉｉ）テトラフルオロエチレンおよびパーフルオロ（メチルビニルエーテル）の共重合単位を含むオリゴマー、ならびにｉｖ）テトラフルオロエチレンおよび炭化水素オレフィンの共重合単位を含むオリゴマーからなる群から選択されるオリゴマー）のテレケリックジアクリレートコポリマー。
【請求項２】
Ａ）式ＨＯ−（ＣＨ2）n−Ｒ−（ＣＨ2）n−ＯＨ（式中、ｎは、１〜４、Ｒは、１０００〜２５，０００ダルトンの数平均分子量を有し、ｉ）フッ化ビニリデンおよびパーフルオロ（メチルビニルエーテル）の共重合単位を含むオリゴマー、ｉｉ）フッ化ビニリデンおよびヘキサフルオロプロピレンの共重合単位を含むオリゴマー、ｉｉｉ）テトラフルオロエチレンおよびパーフルオロ（メチルビニルエーテル）の共重合単位を含むオリゴマー、ならびにｉｖ）テトラフルオロエチレンおよび炭化水素オレフィンの共重合単位を含むオリゴマーからなる群から選択されるオリゴマー）のジオールを提供し、かつ
Ｂ）前記ジオールを、ＣＨ2＝ＣＲ’ＣＯＸ（式中、Ｘは、ハロゲン化物、Ｒ’は、Ｈまたは−ＣＨ3）と反応させて、式ＣＨ2＝ＣＲ’ＣＯＯ−（ＣＨ2）n−Ｒ−（ＣＨ2）n−ＯＯＣＣＲ’＝ＣＨ2のジアクリレートコポリマーを形成すること
を含む、テレケリックジアクリレートコポリマーを製造する方法。
【手続補正２】
【補正対象書類名】明細書
【補正対象項目名】００２５
【補正方法】変更
【補正の内容】
【００２５】
ジオールのアクリル化：
還流冷却器およびマグネチックスターラーを備えた１００ｍｌの３口丸底フラスコに、５．０３ｇ（３．３３ミリモル）の上記したとおりに調製したビス（プロピルアルコール）、２５ｍｌのＴＨＦ、４．５ｇのポリ（ビニルポリピロリドン）、５ｍｇ（０．０４５ミリモル）のヒドロキノンを入れ、０℃まで冷却した。次に、塩化アクリロイル（４．４５６ｇ、４ｍｌ、５０ミリモル）を、３回の投与量（２ｍｌ、１ｍｌおよび１ｍｌ）で滴下して加えた。塩化アクリロイルの１回目の添加後、反応温度を４０℃まで上げ、２回の続く添加は、５および２２時間の経過時間後に完了した。次に、添加量のポリ（ビニルポリピロリドン）（４．５ｇ）を反応混合物に加えた。窒素雰囲気下、４０℃で４８時間、反応を行った。室温まで冷やした後、反応混合物を、焼結ガラス（Ｇ４）を通してろ過し、ポリ（ビニルポリピロリドン）を除去した。ろ過したポリ（ビニルポリピロリドン）をＴＨＦで洗った。溶媒がロータリ蒸発装置で部分的に除去され、ペンタンから残渣が沈殿した。４℃で１２時間後、ペンタンを慎重にデカンテーションしたところ、沈殿生成物が残った。残渣溶媒を、ロータリ真空蒸発装置（４０℃／２０ｍｍＨｇ）により除去した。得られた淡黄色の粘性液体を一定重量になるまで乾燥した（４０℃／０．０１ミリバール）。生成物（全体収率９１％）を、1Ｈおよび19Ｆ  ＮＭＲにより分析した。デカンテーションしたペンタンもまた蒸発したところ、低収率（７％）の低分子量分画の所望のポリマーが戻った。
なお、本発明は、特許請求の範囲を含め、以下の発明を包含する。
１．式ＣＨ2＝ＣＲ’ＣＯＯ−（ＣＨ2）n−Ｒ−（ＣＨ2）n−ＯＯＣＣＲ’＝ＣＨ2（式中、Ｒ’は、Ｈまたは−ＣＨ3、ｎは、１〜４、Ｒは、１０００〜２５，０００ダルトンの数平均分子量を有し、ｉ）フッ化ビニリデンおよびパーフルオロ（メチルビニルエーテル）の共重合単位を含むオリゴマー、ｉｉ）フッ化ビニリデンおよびヘキサフルオロプロピレンの共重合単位を含むオリゴマー、ｉｉｉ）テトラフルオロエチレンおよびパーフルオロ（メチルビニルエーテル）の共重合単位を含むオリゴマー、ならびにｉｖ）テトラフルオロエチレンおよび炭化水素オレフィンの共重合単位を含むオリゴマーからなる群から選択されるオリゴマー）のテレケリックジアクリレートコポリマー。
２．ｎが、２または３である１に記載のテレケリックジアクリレートコポリマー。
３．前記オリゴマーが、１２００〜１２，０００ダルトンの数平均分子量を有する１に記載のテレケリックジアクリレートコポリマー。
４．前記オリゴマーが、１５００〜５０００ダルトンの数平均分子量を有する３に記載のテレケリックジアクリレートコポリマー。
５．前記オリゴマーが、ｉ）フッ化ビニリデン、テトラフルオロエチレンおよびパーフルオロ（メチルビニルエーテル）、ｉｉ）テトラフルオロエチレン、パーフルオロ（メチルビニルエーテル）およびエチレン、ｉｉｉ）フッ化ビニリデン、ヘキサフルオロプロピレンおよびテトラフルオロエチレン、ならびにｉｖ）テトラフルオロエチレン、フッ化ビニリデンおよびプロピレンからなる群から選択される共重合単位を含む１に記載のテレケリックジアクリレートコポリマー。
６．Ａ）式ＨＯ−（ＣＨ2）n−Ｒ−（ＣＨ2）n−ＯＨ（式中、ｎは、１〜４、Ｒは、１０００〜２５，０００ダルトンの数平均分子量を有し、ｉ）フッ化ビニリデンおよびパーフルオロ（メチルビニルエーテル）の共重合単位を含むオリゴマー、ｉｉ）フッ化ビニリデンおよびヘキサフルオロプロピレンの共重合単位を含むオリゴマー、ｉｉｉ）テトラフルオロエチレンおよびパーフルオロ（メチルビニルエーテル）の共重合単位を含むオリゴマー、ならびにｉｖ）テトラフルオロエチレンおよび炭化水素オレフィンの共重合単位を含むオリゴマーからなる群から選択されるオリゴマー）のジオールを提供し、かつ
Ｂ）前記ジオールを、ＣＨ2＝ＣＲ’ＣＯＸ（式中、Ｘは、ハロゲン化物、Ｒ’は、Ｈまたは−ＣＨ3）と反応させて、式ＣＨ2＝ＣＲ’ＣＯＯ−（ＣＨ2）n−Ｒ−（ＣＨ2）n−ＯＯＣＣＲ’＝ＣＨ2のジアクリレートコポリマーを形成すること
を含む、テレケリックジアクリレートコポリマーを製造する方法。
７．ｎが、２または３である６に記載のテレケリックジアクリレートコポリマーを製造する方法。
８．前記オリゴマーが、１２００〜１２，０００ダルトンの数平均分子量を有する６に記載のテレケリックジアクリレートコポリマーを製造する方法。
９．前記オリゴマーが、１５００〜５０００ダルトンの数平均分子量を有する８に記載のテレケリックジアクリレートコポリマーを製造する方法。
１０．前記オリゴマーが、ｉ）フッ化ビニリデン、テトラフルオロエチレンおよびパーフルオロ（メチルビニルエーテル）、ｉｉ）テトラフルオロエチレン、パーフルオロ（メチルビニルエーテル）およびエチレン、ｉｉｉ）フッ化ビニリデン、ヘキサフルオロプロピレンおよびテトラフルオロエチレン、ならびにｉｖ）テトラフルオロエチレン、フッ化ビニリデンおよびプロピレンからなる群から選択される共重合単位を含む６に記載のテレケリックジアクリレートコポリマーを製造する方法。